(57)【要約】【課題】撮影レンズのトラッキング調整時等における合焦判断のため、カメラの映像信号に基づいて順次取得した焦点信号の相対的な大きさをグラフでモニタに表示すると共に、取得した焦点信号の最大値に応じてグラフの大きさを変更することによって、撮影している被写体の相違による焦点信号の大きさの相違にかかわらず、適切な大きさのグラフをモニタに表示できるようにし、合焦判断及び焦点調整を精度良く且つ容易に行えるようにした焦点情報表示装置を提供する。【解決手段】本テレビカメラシステムは、カメラ１０、レンズ１２、パソコン３０から構成される。パソコン３０は、焦点信号のデータをカメラ１０からレンズ１２を介して取得し、モニタ３４にＸ軸をトラッキングレンズの位置、Ｙ軸を焦点信号の値として焦点信号の値を表示する。このときＹ軸のレンジを焦点信号の最大値に応じて自動で変更する。【選択図】  図１
2004177925.tif 000002
【特許請求の範囲】
【請求項１】
撮影レンズにより結像された画像の高域周波数成分に基づいて合焦の程度を表す焦点信号を生成し、該生成した焦点信号に基づいて焦点情報を表示画面上に表示する焦点情報表示装置において、
前記撮影レンズの焦点位置を変更する際に、前記焦点信号を順次取得する焦点信号取得手段と、
前記焦点信号取得手段により取得された焦点信号の最大値を検出する最大値検出手段と、
前記焦点信号取得手段により取得された焦点信号の相対的な大きさを前記表示画面上のグラフ又は数値により把握される大きさで表示する表示手段と、
前記最大検出手段により検出された最大値に対応する前記表示画面上のグラフ又は数値の大きさが、前記最大値の大きさにかかわらず、事前に決められた大きさとなるように、前記焦点信号取得手段により取得された焦点信号の値に対して表示するグラフ又は数値の大きさを変更する変更手段と、
を備えたことを特徴とする焦点情報表示装置。
【請求項２】
前記表示手段は、前記焦点信号取得手段により取得された焦点信号の値に対して前記表示画面上の座標軸の座標値を対応させてグラフを表示させる手段であって、前記変更手段は、前記座標軸の最小座標値から最大座標値の範囲に対応する焦点信号の値の範囲を焦点信号の最小値から前記最大値検出手段によって検出された最大値の範囲に変更することを特徴とする請求項２の焦点情報表示装置。
【請求項３】
前記最大値検出手段は、前記焦点信号取得手段により焦点信号が取得されるごとに焦点信号の最大値を検出する処理を実行することを特徴とする請求項１の焦点情報表示装置。
【請求項４】
リセットを指示するリセット指示手段を備え、前記最大値検出手段は、前記リセット指示手段によりリセットが指示されると、該指示後に前記焦点信号取得手段により取得された焦点信号のうちから最大値を検出することを特徴とする請求項１の焦点情報表示装置。
【請求項５】
前記焦点信号取得手段により取得された焦点信号に基づいて前記撮影レンズの現在の焦点位置が合焦位置か否かを表示する合焦表示手段を備えたことを特徴とする請求項１の焦点情報表示装置。
【発明の詳細な説明】
【０００１】
【発明の属する技術分野】
本発明は焦点信号表示装置に係り、特に撮影レンズのトラッキング調整において合焦判断のための焦点信号を表示する焦点信号表示装置に関する。
【０００２】
【従来の技術】
テレビカメラに用いられる撮影レンズには、一般にリレー系の一部に可動のレンズ群（以下、トラッキングレンズという）が配置されており、工場出荷時等にそのトラッキングレンズの位置が調整されてトラッキング調整（フランジバック調整）が行われている（例えば、特許文献１参照）。
【０００３】
トラッキング調整は、主にズーミングによる焦点ボケ（ズーム焦点移動）が生じないようにトラッキングレンズにより撮影レンズの結像面の位置（焦点位置）を調整するフォーカス調整であり、例えば次のような作業手順で行われる。初めにトラッキングレンズを固定した状態で、できるだけ遠くの静止物体を被写体として撮影レンズのフォーカスを無限遠に設定すると共にズームをワイド端に設定する。そして、トラッキングレンズの位置を調整してピントを合わせる。続いて、ズームをテレ端に設定すると共にフォーカスを動かしてピントを合わせる。これらの作業を繰り返し行い、ズームを動かしてもピントがボケなくなればトラッキング調整が完了する。
【０００４】
ところで、このようなトラッキング調整の作業においては、ピントが合ったか否かを正確に判断することが重要であり、モニタの映像で判断するのでは精度が低い。そこで、カメラの映像信号から得られる焦点信号をオシロスコープ等のモニタで見ながら、焦点信号の値がピークとなったときにピントが合ったと判断する方法が用いられている。尚、焦点信号は、映像信号の高域周波数成分に基づいて撮影画像のコントラスト（画像の鮮鋭度）の高低を数値化して示したものであり、一般にオートフォーカスにおける合焦判断に使用されている。
【０００５】
また、焦点信号をモニタに表示する態様として、例えば、モニタ画面上に２次元座標面を想定して横軸に時間、縦軸に焦点信号の値をとり、所定時間おきにサンプリングした焦点信号の値をその座標面上にプロットしてグラフ表示する方法が考えられる。この場合、例えばトラッキングレンズを動かすと、それに応じて座標面上のプロット位置も時間の経過と共に（横軸に対して）上下に変動する。尚、発明の実施の形態で示すように横軸にトラッキングレンズの位置をとることも考えられる。このようにグラフ表示された焦点信号を参照しながら焦点信号がピーク値となるようにトラッキングレンズの位置を調整すれば精度良くピントを合わせることができる。
【０００６】
尚、上述のようなトラッキング調整に限らず、通常のフォーカス調整（特に、マニュアルフォーカス調整）における合焦判断に焦点信号を参照することは有益である。
【０００７】
【特許文献１】
特開平１１−１２７３７６号公報
【０００８】
【発明が解決しようとする課題】
しかしながら、焦点信号の大きさ、特にピーク値（最大値）は、被写体によって異なる。コントラストが高い被写体を撮影している場合には焦点信号の値は大きいが、コントラストの低い被写体を撮影している場合には焦点信号の値は小さい。
【０００９】
このため、例えば、上述のように焦点信号をグラフ表示する場合に、被写体のコントラストが低いと、焦点信号のピーク値も小さくなり、グラフを参照して焦点信号のピークを見つけることが難しくなるという問題があった。一方、これに対処するために座標軸（縦軸）のレンジ、即ち、座標軸（縦軸）の目盛り（画面に対応付けられる座標値）の最小値から最大値までの範囲に対応させる焦点信号の値の範囲を小さくして、グラフを大きく表示させるようにすると、被写体のコントラストが高い場合に、ピーク近傍の焦点信号の値が目盛りの最大値を超えてしまい、焦点信号のピークを見つけることができないという問題が生じる。
【００１０】
また、撮影する被写体から焦点信号の値がどの位の大きさになるかを判断することは熟練者であっても難しく、使用前に座標軸のレンジを適切に調整することも難しい。
【００１１】
本発明はこのような事情に鑑みてなされたもので、モニタ等に表示された焦点情報から撮影レンズの合焦判断と焦点調整を精度良くかつ容易に行うことができる焦点情報表示装置を提供することを目的とする。
【００１２】
【課題を解決するための手段】
前記目的を達成するために、請求項１に記載の発明は、撮影レンズにより結像された画像の高域周波数成分に基づいて合焦の程度を表す焦点信号を生成し、該生成した焦点信号に基づいて焦点情報を表示画面上に表示する焦点情報表示装置において、前記撮影レンズの焦点位置を変更する際に、前記焦点信号を順次取得する焦点信号取得手段と、前記焦点信号取得手段により取得された焦点信号の最大値を検出する最大値検出手段と、前記焦点信号取得手段により取得された焦点信号の相対的な大きさを前記表示画面上のグラフ又は数値により把握される大きさで表示する表示手段と、前記最大検出手段により検出された最大値に対応する前記表示画面上のグラフ又は数値の大きさが、前記最大値の大きさにかかわらず、事前に決められた大きさとなるように、前記焦点信号取得手段により取得された焦点信号の値に対して表示するグラフ又は数値の大きさを変更する変更手段と、を備えたことを特徴としている。
【００１３】
また、請求項２に記載の発明は、請求項１に記載の発明において、前記表示手段は、前記焦点信号取得手段により取得された焦点信号の値に対して前記表示画面上の座標軸の座標値を対応させてグラフを表示させる手段であって、前記変更手段は、前記座標軸の最小座標値から最大座標値の範囲に対応する焦点信号の値の範囲を焦点信号の最小値から前記最大値検出手段によって検出された最大値の範囲に変更することを特徴としている。
【００１４】
また、請求項３に記載の発明は、請求項１に記載の発明において、前記最大値検出手段は、前記焦点信号取得手段により焦点信号が取得されるごとに焦点信号の最大値を検出する処理を実行することを特徴としている。
【００１５】
また、請求項４に記載の発明は、請求項１に記載の発明において、リセットを指示するリセット指示手段を備え、前記最大値検出手段は、前記リセット指示手段によりリセットが指示されると、該指示後に前記焦点信号取得手段により取得された焦点信号のうちから最大値を検出することを特徴としている。
【００１６】
また、請求項５に記載の発明は、請求項１に記載の発明において、前記焦点信号取得手段により取得された焦点信号に基づいて前記撮影レンズの現在の焦点位置が合焦位置か否かを表示する合焦表示手段を備えたことを特徴としている。
【００１７】
本発明によれば、順次取得した焦点信号の相対的な大きさをグラフ又は数値により把握される大きさで表示画面に表示すると共に、取得した焦点信号の最大値に対応するグラフ又は数値の大きさが事前に決められた大きさとなるように焦点信号の値に対するグラフ又は数値の大きさを変更するようにしたため、撮影している被写体の相違による焦点信号の大きさの相違にかかわらず、適切な大きさのグラフ又は数値で焦点信号の大きさを表示画面に表示することができるようになる。従って、合焦判断及び焦点調整を精度良く且つ容易に行うことができるようになる。また、取得した焦点信号の最大値をリセットできるようにすることで、被写体の条件が変化した場合などでもリセットの指示によって適切な大きさのグラフ又は数値で焦点信号の大きさを表示させることができる。更に、撮影レンズの焦点位置が合焦位置か否かを表示する合焦表示手段を設けることにより合焦判断をより精度良く且つ容易に行うことができるようになる。
【００１８】
【発明の実施の形態】
以下、添付図面に従って本発明に係る焦点情報表示装置の好ましい実施の形態について詳説する。
【００１９】
図１は、本発明が適用されるテレビカメラシステムの構成を示したブロック図である。同図に示すように本システムは、カメラ１０、レンズ１２（レンズ装置）、及び、パソコン１４から構成される。カメラ１０やレンズ１２には、本来、被写体を撮影するための様々な光学部品や処理回路等が搭載されているが、同図には、焦点情報の表示に関連するもののみが示されている。
【００２０】
カメラ１０には、レンズ１２の光学系により結像された像を光電変換して例えばインタレース走査方式の映像信号として出力するＣＣＤ１６（及び処理回路）が搭載されており、ＣＣＤ１６から出力された映像信号（例えば輝度信号）は映像出力用として使用される他に、ハイパスフィルタ１８に出力されて焦点信号生成用としても使用される。ハイパスフィルタ１８に出力された映像信号は、ハイパスフィルタ１８によってその高域周波数成分のみが抽出される。そして、抽出された高域周波数成分の信号がＡ／Ｄ変換器２０によってデジタル信号に変換された後、ＣＰＵ２２によって所定周期でサンプリングされる。サンプリングされた高域周波数成分の信号は、ＣＰＵ２２により例えば１フィールド分ずつ加算される。これによって、焦点信号のデータが生成される。焦点信号は、画像のコントラストの高低を数値化して評価したもので、一般にオートフォーカスにおける合焦判断にも使用される。
【００２１】
レンズ１２にはその制御系の構成部品としてＣＰＵ２４が内蔵されており、カメラ１０のＣＰＵ２２とレンズ１２のＣＰＵ２４との間で通信接続されて各種信号の送受信が行えるようになっている。これによってカメラ１０のＣＰＵ２２で生成された上記焦点信号のデータは、レンズ１２のＣＰＵ２４に送信される。また、レンズ１２のＣＰＵ２４は、パソコン１４のＣＰＵ３０とも通信接続されて各種信号の送受信が行えるようなっており、これによって、レンズ１２のＣＰＵ２４に送信された上記焦点信号のデータがパソコン１４のＣＰＵ３０に送信される。
【００２２】
レンズ１２は、光学系と制御系から構成されており、光学系には、例えば、前段側から順に光軸方向に移動可能なフォーカスレンズ、ズームレンズ、開閉動作する絞り、リレーレンズ（マスターレンズ）等が配置され、リレーレンズの一部に光軸方向に移動可能なトラッキング調整のためのトラッキングレンズが配置される。制御系には、フォーカスレンズ、ズームレンズ、絞り及びトラッキングレンズをモータ駆動するための駆動部や、それぞれの現在位置を検出する位置検出部が設けられている。同図には、トラッキングレンズをモータ駆動する駆動部２６とトラッキングレンズの現在位置を検出する位置検出部２８が示されており、位置検出部２８から出力される位置信号はＣＰＵ２４によって読み取られ、上記焦点信号のデータと共にトラッキングレンズの現在位置を示す位置信号のデータとしてパソコン１４に送信されるようになっている。尚、これらの焦点信号及び位置信号のデータは、所定時間間隔、又は、トラッキングレンズの位置が所定間隔移動するごとにパソコン１４に送信される。
【００２３】
また、パソコン１４のキーボード等（図示せず）を操作することにより、その操作に基づく指示信号がパソコン１４からレンズ１２のＣＰＵ２４を介して駆動部２６に与えられ、トラッキングレンズが駆動部２６によりモータ駆動されるようになっている。従って、パソコン１４での操作者の操作によりトラッキングレンズの位置を調整して光学系の焦点調整を行うことができる。ただし、レンズ筐体に設けられた所定の操作ツマミや、レンズ１２に接続されたパソコン１４以外のコントローラによりトラッキングレンズを駆動できるようにしてもよい。また、トラッキングレンズを手動でのみ駆動できるようにしてもよく、その場合には、同図の駆動部２６は設置されない。尚、本実施の形態では、トラッキングレンズを駆動するための操作及び処理については説明を省略する。
【００２４】
パソコン１４は市販されているもので、同図にはその構成を省略してＣＰＵ３０、メモリ３２、モニタ３４のみが示されている。トラッキング調整のための所定のソフトウェアを起動すると、ＣＰＵ３０はそのソフトウェアのプログラムに従って処理を実行する。これによって、上記焦点信号のデータ、及び、トラッキングレンズの位置信号のデータがＣＰＵ３０によりレンズ１２のＣＰＵ２４から読み取られ、これらのデータに基づいて焦点情報がモニタ３４に表示されるようになっている。
【００２５】
図２は、パソコン１４のモニタ３４に表示される焦点情報の画面を例示した図である。同図に示すように、モニタ３４の画面には横軸（Ｘ軸）をトラッキングレンズの位置信号の値、縦軸（Ｙ軸）を焦点信号の値として焦点情報が２次元のグラフにより表示される。例えば、トラッキング調整の際にトラッキングレンズを至近端から無限遠端に移動させたとする。このとき、所定時間間隔おきに（又はトラッキングレンズが所定間隔で移動するごとに）、トラッキングレンズが現在通過している位置の位置信号の値とそのときの焦点信号の値とに対応した座標面上の座標点（ｘ,ｙ）がグラフを描く点としてリアルタイムに背景色と異なる色で描画されていく。これにより、合焦が得られた際の座標点Ｐ0（ｘ0,ｙ0＝ｙmax）でピーク（Ｙ座標値が最大）となるグラフが同図のように表示される。尚、グラフのピークとなる座標点Ｐ0（ｘ0,ｙmax）を以下、合焦点という。また、座標点（ｘ,ｙ）はモニタ３４の画面上の表示位置に対応して固定された値のＸ座標値ｘ及びＹ座標値ｙの点であり、位置信号の値と焦点信号の値を示したものではない。特にＸ座標値ｘは至近端で最小値０、無限遠端で最大値ｎの整数値をとり、トラッキングレンズが前記所定間隔移動するごとに±１加算された値をとるものとする。
【００２６】
また、トラッキングレンズの現在位置に対応する座標点（現在点ＰR）はグラフ上の他の点と区別できるように他の点より大きな丸又は異なる色で描画されており、画面を見ながらその現在点ＰRがグラフ上の合焦点Ｐ0（ｘ0,ｙmax）に一致したか否かで合焦したか否かを判断することができるようになっている。
【００２７】
更に、上述のようなグラフを描画する際に、グラフの描画開始（焦点情報の表示処理開始）後に取得した全ての焦点信号のデータのうち、最大値をとる焦点信号のデータに対応するＹ座標値ｙが予め決められた最大のＹ座標値ｙmaxとなるようにＹ軸のレンジが自動で変更されるようになっている。即ち、取得した全ての焦点信号のデータのうち、その最大値をＦ１とすると、Ｙ座標値の最小値０から最大値（最大Ｙ座標値ｙmax）までの範囲に対応する焦点信号の値の範囲が最小値０から最大値Ｆ１までの範囲に変更される。尚、Ｙ座標値０から最大Ｙ座標値ｙmaxまでの範囲に対応する焦点信号の値の範囲を以下、Ｙ軸のレンジという。また、本実施の形態ではＹ座標値の最小値を具体的０としているがこれに限らない。更に、Ｙ軸のレンジも焦点信号の最小値０から最大値Ｆ１までの範囲としているが、これに限らず最大値Ｆ１を含む範囲で且つグラフが適切な大きさとなる範囲であればよい。
【００２８】
例えば、トラッキングレンズを至近端から合焦点まで動かした場合に、図２に示した至近端から合焦点までの増加傾向を示すグラフが描画されるとする。このような状況において、最初の焦点信号及び位置信号のデータ（この場合には至近端における焦点信号及び位置信号のデータ）をレンズ１２から取得した時点では、至近端に対応するＸ座標値ｘ（＝０）に対してその焦点信号の値Ｄ［０］が最大値Ｆ１となり、Ｙ軸のレンジが焦点信号の値０から最大値Ｆ１（Ｄ［０］）までの範囲に設定される。従って、図３に示すように座標点Ｐ1（０,ｙmax）が現在点として表示される。尚、位置信号の値に対応するＸ座標値をｘとすると、その位置信号のデータに対応して得られた焦点信号の値をＤ［ｘ］（ｘ＝０、１、…、ｎ）と表す。
【００２９】
その後、トラッキングレンズが移動している間、レンズ１２から新たな焦点信号及び位置信号のデータを取得するごとに、新たに取得した焦点信号の値Ｄ［ｘ］が最大値Ｆ１として変更され、それに対応してＹ軸のレンジも変更される。今、最新の位置信号の値に対応するＸ座標値ｘがＮ、焦点信号の値がＤ［Ｎ］とすると、最大値Ｆ１がＤ［Ｎ］となり、図３に示すように座標点ＰN（Ｎ,ｙmax）が現在点として表示される。また、それまでに得られた焦点信号の値Ｄ［ｘ］（ｘ＝０〜Ｎ−１）に対応するＹ座標値ｙがＹ軸のレンジに合わせて、
【００３０】
【数１】
ｙ＝ｙmax・（Ｄ［ｘ］／Ｆ１）
に変更され、各Ｘ座標値ｘ（ｘ＝０〜Ｎ−１）と上式により変更された各Ｙ座標値ｙに対応する座標点（ｘ,ｙ）がグラフを描画する点として再描画される。これによって同図曲線Ｎのようなグラフが描画される。
【００３１】
以後、トラッキングレンズが合焦点Ｐ0（ｘ0,ｙmax）に到達するまでの間、現在点は、最大Ｙ座標値ｙmaxの値をとりながら移動する。そして、合焦点Ｐ0（ｘ0,ｙmax）に到達したときには、図２に示した至近端から合焦点までのグラフと同様のグラフ（図３の点線Ｍ）が表示される。
【００３２】
続いて、合焦点から無限遠端までトラッキングレンズを動かした場合に、図２に示した合焦点から無限遠端までの減少傾向を示すグラフが描画されるとする。この場合、レンズ１２から新たな焦点信号及び位置信号のデータを取得しても、その取得した焦点信号の値Ｄ［ｘ］は最大値Ｆ１（合焦点Ｐ0における焦点信号の値）を超えることはなく、Ｙ軸のレンジは変更されない。従って、図４に示すように現在点ＰRのＹ座標値ｙも減少していく。以後、トラッキングレンズを無限遠端まで動かした場合には、同図点線Ｍに示すような軌跡で現在点ＰRが移動し、図２に示した合焦点から至近端までのグラフと同様のグラフが表示される。
【００３３】
ここで、実際のトラッキング調整の作業では、必ずしも上記説明のようにトラッキングレンズを至近端から無限遠端までの全範囲で動かす必要はなく、例えば、任意の初期位置から一方向にトラッキングレンズを動かし、現在点のＹ座標値が最大Ｙ座標値ｙmaxより小さくなったことを確認する。そして、小さくなったことを確認した場合には次にトラッキングレンズを反対方向に動かして現在点のＹ座標値が最大Ｙ座標値ｙmaxとなったことを確認しその位置でトラッキングレンズを固定する。これによって合焦が得られる。尚、トラッキングレンズを最初に動かした方向に合焦点がない場合もある。そのため、最初に動かした方向に現在点のＹ座標値が最大Ｙ座標値ｙmaxより小さくなったことを確認した場合でも、トラッキングレンズを反対方向に動かした後、再度、現在点のＹ座標値が最大Ｙ座標値ｙmaxより小さくなったことを確認する。そして、現在点のＹ座標値が最大Ｙ座標値ｙmaxとなるようにトラッキングレンズの位置を調整することが望ましい。
【００３４】
図５は、上記焦点情報を表示するためのパソコン１４の処理手順を示したフローチャートである。ＣＰＵ３０は、焦点情報の表示開始（グラフの描画開始）がキーボード等の操作によって指示されると、まず、グラフを焦点信号の最大値を示す変数（最大焦点信号変数）Ｆ１と、各Ｘ座標値ｘに対する焦点信号の値を記憶する焦点信号バッファＤ［０］、Ｄ［1］、…、Ｄ［ｎ］を初期化する。即ち、
【００３５】
【数２】
Ｆ１＝０
【００３６】
【数３】
Ｄ［ｘ］＝０（ｘ＝０，１，…，ｎ）
とする（ステップＳ１０）。
【００３７】
次に、ＣＰＵ３０は、レンズ１２のＣＰＵ２４から焦点信号のデータとそのときのトラッキングレンズの位置信号のデータを取得し、取得した位置信号のデータに対応したＸ座標値Ｎに対して焦点信号バッファＤ［Ｎ］にそのとき取得した焦点信号の値ＧｅｔＤａｔａを代入する。即ち、
【００３８】
【数４】
Ｄ［Ｎ］＝ＧｅｔＤａｔａ
とする（ステップＳ１２）。
【００３９】
次に、ステップＳ１２で取得した焦点信号バッファＤ［Ｎ］の値が最大焦点信号変数Ｆ１よりも大きいか否かを判定する（ステップＳ１４）。ＮＯと判定した場合には、最大焦点信号変数Ｆ１を変更せずにステップＳ１８に移行する。一方、ＹＥＳと判定した場合には、最大焦点信号変数Ｆ１を焦点信号バッファＤ［Ｎ］の値に更新する。即ち、
【００４０】
【数５】
Ｆ１＝Ｄ［Ｎ］
とする（ステップＳ１６）。
【００４１】
そして、これまで取得した全てのＸ座標値ｘの焦点信号バッファＤ［ｘ］に対して、Ｙ座標値ｙを、
【００４２】
【数６】
ｙ＝最大Ｙ座標値ｙmax・（Ｄ［ｘ］／Ｆ１）
とし、これまで取得した全ての焦点信号及び位置信号のデータに対応するの座標点（ｘ、ｙ）をグラフを描画する点としてモニタ３４の画面上にプロットする（ステップＳ１８）。
【００４３】
続いて、ＣＰＵ３０は、キーボード等の操作によって処理終了の指示があったか否かを判定し（ステップＳ２０）、ＮＯと判定した場合には、ステップＳ１２からの処理を繰り返す。一方、ＹＥＳと判定した場合には、本フローチャートの処理を終了する。
【００４４】
以上のように、焦点信号の最大値に応じてＹ軸のレンジが変更され、被写体のコントラスト等にかかわらずグラフが適切な大きさで表示されるため、合焦判断及び焦点調整を精度良く且つ容易に行うことができるようになる。
【００４５】
尚、上記グラフの表示において、グラフの描画開始後に取得した全てのデータに対応する座標点を画面に表示するようにしたが、これに限らず最新のデータに対して所定時間前までに取得したデータの座標点のみ、または、現在点のＸ座標値に対して所定距離範囲内にあるデータの座標点のみ表示するようにしてもよい。
【００４６】
次に、焦点情報の表示に関する第２の実施の形態について説明する。上記実施の形態（第１の実施の形態）では、パソコン１４のモニタ３４の画面上において、Ｘ軸をトラッキングレンズの位置信号の値、Ｙ軸を焦点信号の値として位置信号と焦点信号との関係をグラフで表示するようにしたが、本第２の実施の形態では、Ｘ軸を時間、Ｙ軸を焦点信号の値として時間と焦点信号との関係を２次元のグラフで表示する。この場合においても第１の実施の形態と同様にＹ軸のレンジを最小値０から焦点信号の最大値Ｆ１（最大値Ｆ１は第１の実施の形態と同じ定義）までの範囲として自動で変更することで、焦点信号の大きさにかかわらず合焦判断が行いやすいグラフが表示される。
【００４７】
例えば、本第２の実施の形態では図６に示すようにモニタ３４の画面上においてＸ軸を時間、Ｙ軸を焦点信号の値として焦点情報がグラフにより表示される。焦点信号のデータは一定時間間隔で取得されるものとし、最新の焦点信号のデータを取得した時間Ｔmaxに対して所定データ数分（ｎ個分）前のデータを取得した時間をＴminとすると、最小Ｘ座標値０から最大Ｘ座標値ｎまでの範囲に対応する時間の範囲が時間Ｔminから時間Ｔmaxまでの範囲となるようにＸ軸のレンジが設定される。即ち、時間Ｔminから時間Ｔmaxまでの間に取得された焦点信号のデータ数はｎ＋１個であり、時間Ｔminから時間Ｔmaxまでの間に取得された各データに対応するＸ座標値が古いものから順に０〜ｎの整数に割り当てられる。従って、パソコン１４のＣＰＵ３０において新たな焦点信号のデータが取得された場合、その新たな焦点信号のデータに対応する座標点は、Ｘ座標値が最大Ｘ座標値ｎとなる位置に描画される。そして、新たな焦点信号のデータの座標点が座標面上に描画されるごとに、それ以前に座標面上に描画されていた各データの座標点が、Ｘ座標値を−１シフトさせた位置に描画される。また、Ｘ座標値０に表示されていたデータの座標点が座標面上から消去される。画面上ではグラフが右から左に流れるように表示される。
【００４８】
更に、第１の実施の形態と同様に、グラフの描画開始後に取得された全ての焦点信号のデータのうち、最大値をとる焦点信号の値をＦ１とすると、最小Ｙ座標値０から最大Ｙ座標値ｙmaxまでの範囲に対応する焦点信号の値の範囲が最小値０から最大値Ｆ１までの範囲に変更される。
【００４９】
実際にトラッキングレンズを動かした場合に、トラッキングレンズが合焦位置に近づいていくと、焦点信号の値が増加すると共に焦点信号の最大値Ｆ１が逐次更新され、それに応じてＹ軸のレンジも変更される。従って、図６に示すように最大Ｘ座標値ｘmaxに対するＹ座標値が最大座標値ｙmaxとなるグラフが表示される。そして、トラッキングレンズが合焦位置を一旦通過し、焦点信号の値が減少傾向を示すと、焦点信号の最大値Ｆ１が合焦位置での焦点信号の値に固定されると共に、Ｙ軸のレンジも０から合焦位置での焦点信号の値までの範囲に固定される。従って、図７に示すように最大Ｘ座標値ｘmaxに対するＹ座標値が減少する。このような現象を確認した場合、トラッキングレンズを反対方向に動かし、図８に示すように最大Ｘ座標値ｎに対するＹ座標値（現在点ＰRの座標点が最大Ｙ座標値ｙmaxとなったことを確認すると合焦したと判断することができる。
【００５０】
尚、Ｙ軸のレンジを変更して新たな焦点信号のデータに対応した座標点を描画する場合に、それ以前に座標面上に描画していた座標点のＹ座標値については変更せずにＸ座標値のみ変更するようにしてもよい。
【００５１】
次に、焦点情報の表示に関する第３の実施の形態について説明する。上記第１及び第２の実施の形態ではモニタ３４の画面上に２次元座標を想定して２次元のグラフで焦点情報を表示するようにしたが、本第３の実施の形態では、例えば、図９に示すように焦点信号の値に対応した長さのバーグラフにより１次元のグラフで焦点情報を表示する。また、画面上におけるバーグラフの大きさ（長さ）を例えば０から１００の範囲で変更するものとすると、バーグラフの０から１００までの大きさの範囲に対応する焦点信号の値の範囲を、第１、２の実施の形態と同様に０から焦点信号の最大値Ｆ１（第１の実施の形態と同じ定義）までの範囲とする。
【００５２】
例えば、トラッキングレンズを合焦位置に近づく方向に動かした場合、焦点信号の値が増加すると共に、最新の焦点信号の値が最大値Ｆ１として更新される。従って、図９に示すようにバーグラフは最大の大きさ（１００）で表示される。そして、トラッキングレンズが合焦位置を一旦通過し、焦点信号の値が減少傾向を示すと、焦点信号の最大値Ｆ１が合焦位置での焦点信号の値に固定されると共に、バーグラフの０から１００までの大きさの範囲に対応する焦点信号の値の範囲も０から合焦位置での焦点信号の値までの範囲に固定される。従って、図１０に示すようにバーグラフの大きさも減少する。このような現象を確認した場合、トラッキングレンズを反対方向に動かし、図９のように再度バーグラフの大きさが最大（１００）となったことを確認すると合焦したと判断することができる。
【００５３】
このようなバーグラフを焦点情報として表示する場合のパソコン１４のＣＰＵ３０での処理手順を図１１のフローチャートに示す。ＣＰＵ３０は、焦点情報の表示開始（グラフの描画開始）がキーボード等の操作によって指示されると、まず、焦点信号の最大値を示す変数（最大焦点信号変数）Ｆ１を初期化する。即ち、Ｆ１＝０とする（ステップＳ３０）。
【００５４】
次に、ＣＰＵ３０は、レンズ１２のＣＰＵ２４から焦点信号のデータを取得し、焦点信号バッファＤにそのとき取得した焦点信号の値ＧｅｔＤａｔａを代入する。即ち、Ｄ＝ＧｅｔＤａｔａとする（ステップＳ３２）。
【００５５】
次に、ステップＳ３２で取得した焦点信号バッファＤの値が最大焦点信号変数Ｆ１よりも大きいか否かを判定する（ステップＳ３４）。ＮＯと判定した場合には、最大焦点信号変数Ｆ１を変更せずにステップＳ３８に移行する。一方、ＹＥＳと判定した場合には、最大焦点信号変数Ｆ１を焦点信号バッファＤの値に更新する。即ち、Ｆ１＝Ｄとする（ステップＳ３６）。
【００５６】
そして、バーグラフの大きさの最大値を１００としてバーグラフの大きさｙを、ｙ＝（最大の大きさ１００）・（Ｄ／Ｆ１）とし、その大きさｙでバーグラフを描画する（ステップＳ３８）。
【００５７】
続いて、ＣＰＵ３０は、キーボード等の操作によって処理終了の指示があったか否かを判定し（ステップＳ４０）、ＮＯと判定した場合には、ステップＳ３２からの処理を繰り返す。一方、ＹＥＳと判定した場合には、本フローチャートの処理を終了する。
【００５８】
以上のように、焦点信号の最大値に応じてバーグラフの大きさが適切な大きさに調整されて表示されるため、合焦判断及び焦点調整を精度良く且つ容易に行うことができるようになる。
【００５９】
尚、第３の実施の形態において、バーグラフの大きさを表す０〜１００の数値（他の数値範囲でもよい）をバーグラフと共に表示してもよいし、また、バーグラフの変わりにその数値のみを表示してもよい。
【００６０】
以上、上記実施の形態では、レンズ１２に接続したパソコン１４のモニタ３４に焦点情報を表示するようにしたが、カメラ１０にパソコンを接続してそのパソコンに焦点情報を表示してもよいし、また、他の表示手段によって焦点情報を表示するようにしてもよい。例えば、カメラ１０又はレンズ１２にデータの送受信可能に接続されるパソコン１４以外の表示手段、レンズ１２に装着された表示手段、カメラ１０のビューファインダー等に焦点情報を表示するようにしてもよい。特にカメラ１０のビューファインダーに表示する場合には、映像の表示を阻害しないように第３の実施の形態のような簡素な表示が好ましい。
【００６１】
また、上記実施の形態では焦点信号の最大値Ｆ１を検出する処理を最新のデータを取得するごとに行うようにしたが、これに限らず、例えば、所定数のデータを取得するごとに、又は、所定時間おきに行うようにしてもよい。
【００６２】
また、上記実施の形態では、表示画面に表示される焦点情報をトラッキング調整時の焦点調整のために利用するものとして説明したが、通常撮影時においてフォーカスレンズを動かしてピント合わせする場合にも同様に表示される焦点情報を利用することができる。
【００６３】
また、上記実施の形態のようなグラフに限らず、焦点信号の相対的な大きさを把握できる他の形態のグラフや数値によって表示するようにしてもよい。
【００６４】
また、上記実施の形態で示したグラフ等の表示の他に、合焦判断を補助するため現在（最新）の焦点信号の値が最大値Ｆ１と判断された場合に、その旨を表示し、又は音で知らせるようにしてもよい。
【００６５】
次に、上記テレビカメラシステムにおいて焦点情報の表示データをリセットするリセット機能を設けた場合の実施の形態について説明する。上記パソコン１４で所定のプログラムを実行させて焦点情報の表示を開始した場合において表示開始後に被写体の条件が変わる場合がある。例えば、焦点情報の表示開始後に、撮影する被写体を別のものに変更した場合や照明光の明るさが変化した場合などには被写体の条件が変わる。特に上記実施の形態で示したような焦点情報の表示を通常のフォーカス調整（フォーカスレンズを駆動してフォーカス調整を行う場合）に適用した場合の条件下ではこのような状況が生じやすい。このような場合には合焦位置での焦点信号の値（焦点信号のピーク値）も被写体の条件の変化と共に変動するため、もし、被写体の条件が変化した後の合焦位置における焦点信号の値がそれ以前の合焦位置における焦点信号の値より小さくなったとすると、焦点情報の表示処理において既に設定されている焦点信号の最大値（最大焦点信号変数）Ｆ１を、新たな条件下で取得した焦点信号の値では超えない場合が生じ得る。このときには、焦点情報の表示画面上において合焦位置での焦点信号の値が最大値として表示されないという事態が生じ、焦点信号のピーク点を判別することが難しくなるという問題がある。
【００６６】
このような事態を回避するために、被写体の条件が変化した場合にはパソコン１４でのプログラムを再起動させ、焦点情報の表示データ（即ち、最大焦点信号変数Ｆ１の値や、過去に蓄積された焦点信号のデータ（焦点信号バッファのデータ）を初期化する方法などが考えられるが、プログラムの再起動のように焦点情報の表示処理を完全に終了してから再度開始させるという方法は手間や時間がかかるという問題がある。そのため、本実施の形態では焦点情報の表示データを容易に初期化することができるリセット機能を設けることとする。
【００６７】
リセット機能を設ける場合、図１に示したテレビカメラシステムに対して、図１２に示すようなリセットスイッチ５０が設けられる。尚、リセットスイッチ５０以外の構成は図１で説明したものと全く同一であるから説明を省略する。リセットスイッチ５０は、カメラ１０、レンズ１２、パソコン１４のいずれに配置してもよく、また、そのオン／オフ操作の読取りもカメラ１０のＣＰＵ２２、レンズ１２のＣＰＵ２４、パソコン１４のＣＰＵ３０のいずれで行ってもよい。カメラ１０のＣＰＵ２２やレンズ１２のＣＰＵ２４でリセットスイッチ５０のオン／オフ操作の読取りを行う場合にはその情報をパソコン１４のＣＰＵ３０（パソコン１４以外のＣＰＵで焦点情報の表示処理を行う場合にはその処理部）に伝送するようにしておく。
【００６８】
また、リセットスイッチ５０の構成も操作者がリセットの指示を行ったことを判別できるものであればどのような形態であってもよい。例えば、パソコン１４にリセットスイッチ５０を配置する場合、リセットスイッチ５０を特別な部材として設けるのではなく、キーボードの所定のキーをリセットスイッチとして割り当ててもよいし、また、図１３に示すように焦点情報を表示したモニタ３４の画面上にリセットスイッチ５０を表示し、マウスのクリック操作などでそのリセットスイッチ５０をオン／オフ操作できるようにしてもよい。尚、モニタ３４がタッチパネル付きのモニタであれば画面上に表示したリセットスイッチ５０を指などでタッチ操作することも可能である。
【００６９】
また、上記第１乃至第３の実施の形態で示したような焦点情報の表示はカメラ１０のビューファインダーの画面上に表示させることも可能であり、図１４に示すように例えば第３の実施の形態で示したバーグラフによって焦点情報を表示したビューファインダー画面５２の周辺部のフレーム部にリセットスイッチ５０を配置してもよい。
【００７０】
次に、上記第１の実施の形態で示した焦点情報の表示態様（図２乃至図４参照）でリセット機能の処理を行えるようしたときのパソコン１４のＣＰＵ３０での処理手順を図１５のフローチャートに示す。図１５のフローチャートの処理ブロックのうち、第１の実施の形態での処理手順を示した図５のフローチャートの処理ブロックと同一ステップ番号を付したものは図５と同一の処理内容を示しているため説明を省略すると、図１５にはステップＳ５０の判定処理が新たに追加されている。ステップＳ５０では、上記リセットスイッチ５０のオン操作に起因してリセットする旨の指示が行われたか否かを判定する。ＮＯと判定した場合には次のステップＳ２０の処理に移行するが、ＹＥＳと判定した場合には、ステップＳ１０の処理に戻る。ステップＳ１０の処理に戻ると、焦点信号の最大値を示す変数（最大焦点信号変数）Ｆ１と、各Ｘ座標値ｘに対する焦点信号の値を記憶する焦点信号バッファＤ［０］、Ｄ［1］、…、Ｄ［ｎ］が初期化される。これにより、リセットスッイチ５０をオンすることによって焦点情報の表示処理に使用される表示データが初期化される。尚、ステップＳ１０の処理において画面上のグラフを初期化する処理を行うようにしてもよい。また、リセットスイッチによってリセットする旨の指示があった場合、最大焦点信号変数Ｆ１のみを初期化して焦点信号バッファＤ［０］、Ｄ［1］、…、Ｄ［ｎ］を初期化しないようにし、グラフ上にリセット前の焦点信号のデータも表示するようにしてもよい。
【００７１】
続いて、上記第３の実施の形態で示した焦点情報の表示態様（図９、図１０参照）でリセット機能の処理（リセット処理）を行えるようしたときのパソコン１４のＣＰＵ３０での処理手順を図１６のフローチャートに示す。図１６のフローチャートの処理ブロックのうち、第３の実施の形態での処理手順を示した図１１のフローチャートの処理ブロックと同一ステップ番号を付したものは図１１と同一の処理内容を示しているため説明を省略すると、図１６にはステップＳ６０の判定処理が新たに追加されている。ステップＳ６０では、上記リセットスイッチ５０のオン操作に起因してリセットする旨の指示が行われたか否かを判定する。ＮＯと判定した場合にはステップＳ４０の処理に移行するが、ＹＥＳと判定した場合には、ステップＳ３０の処理に戻る。ステップＳ３０の処理に戻ると、焦点信号の最大値を示す変数（最大焦点信号変数）Ｆ１が初期化される。これにより、リセットスッイチ５０をオンすることによって焦点情報の表示処理に使用される表示データが初期化される。尚、ステップＳ３０の処理において画面上のバーグラフを初期化する処理を行うようにしてもよい。
【００７２】
以上のリセット機能は第１、第３の実施の形態で示した焦点情報の表示態様の場合に限らず適用できる。
【００７３】
次に、上記テレビカメラシステムにおける焦点情報の表示においてベストピント（合焦）を表示するベストピント表示機能を設けた場合の実施の形態について説明する。例えば、第３の実施の形態での焦点情報の表示態様（バーグラフ表示：図９、図１０参照）を例に説明すると、トラッキングレンズが合焦位置（焦点信号のピーク点）を一旦通過するまでは焦点信号の値が増加するとバーグラフの大きさは最大の状態で表示される。また、合焦位置を一旦通過すれば、理想的にはその後に合焦位置以外でバーグラフの大きさが最大の状態で表示されることはないが、バーグラフの大きさが最大の状態か否かを判別するのも注意が必要である。そこで、本実施の形態では、ベストピントか否かの判断を容易にするために現在の焦点信号の値が合焦を示す真の最大値か否か、即ち、現在のトラッキングレンズの位置が合焦位置か否かを表示するベストピント表示機能を設ける。尚、本実施の形態では上記リセット機能も備えている場合の態様で説明する。
【００７４】
図１７は、パソコン１４のモニタ３４の画面上に第１の実施の形態で示した焦点情報と共に、ベストピントか否か（ベストピントであること）を通知するベストピント表示マーク６０を表示させた場合の図である。例えば、カメラ１０から得られた現在の焦点信号の値が合焦の値（真の最大値）と判断した場合にはベストピント表示マーク６０が表示され、そうでなければベストピント表示マーク６０が消滅する。尚、ベストピント表示マーク６０を常時表示されている状態にし、ベストピント表示マーク６０の表示色、明るさ、輝度等の変更によってベストピントか否かを判別できるようにしてもよい。また、同図には図１３で説明したリセットスイッチ５０も示されている。
【００７５】
図１８、第３の実施の形態で示したバーグラフによって焦点情報を表示したビューファインダー画面５２に図１７と同様のベストピント表示マーク６０を表示させた場合を示した図であり、説明を省略する。また、同図には図１４で説明したリセットスイッチ５０も示されている。
【００７６】
尚、ベストピントの表示は、パソコン１４のモニタ３４の画面上やビューファインダーの画面上ではなく、所望の位置に設置したＬＥＤ等のランプにより行うことも可能であり、どのような手段を用いてもよい。
【００７７】
次に、上記第３の実施の形態で示した焦点情報の表示態様（図９、図１０参照）でベストピント機能の処理を行えるようにしたときのパソコン１４のＣＰＵ３０での処理手順を図１９、図２０のフローチャートを用いて説明する。
【００７８】
パソコン１４のＣＰＵ３０は、焦点情報の表示開始（グラフの描画開始）がキーボード等の操作によって指示されると、まず、バーグラフを初期化すると共に、焦点信号の最大値を示す変数（最大焦点信号変数）Ｆ１や所定のフラグＢＰＦｌａｇを初期化する。即ち、Ｆ１＝０、ＢＰＦｌａｇ＝０とする（ステップＳ１００）。尚、ＢＰＦｌａｇは、トラッキングレンズ（又はフォーカスレンズ）がベストピントの位置を通過しか否かを示すフラグで、通過した場合には１、そうでない場合には０に設定される。
【００７９】
次に、ＣＰＵ３０は、レンズ１２のＣＰＵ２４から焦点信号のデータとそのときのトラッキングレンズの位置信号のデータを取得する。そして、焦点信号バッファＤｏに焦点信号バッファＤｎの値を代入すると共に、焦点信号バッファＤｎにそのとき取得した焦点信号の値ＧｅｔＤａｔａを代入する。即ち、Ｄｏ＝Ｄｎ、Ｄｎ＝ＧｅｔＤａｔａとする。また、位置信号バッファＰＯＳｏに位置信号バッファＰＯＳｎの値を代入すると共に、位置信号バッファＰＯＳｎにそのとき取得した位置信号の値ＧｅｔＰｏｓを代入する（ステップＳ１０２）。尚、焦点信号バッファＤｎ、位置信号バッファＰＯＳｎにはそれぞれ最新の焦点信号の値と位置信号の値が代入され、焦点信号バッファＤｏ、位置信号バッファＰＯＳｏにはそれぞれ前回取得した焦点信号の値と位置信号の値が代入される。
【００８０】
次に、最大焦点信号変数Ｆ１が０ではなく、且つ、ステップＳ１０２で取得した焦点信号バッファＤｎの値が最大焦点信号変数Ｆ１に等しいかを判定する（ステップＳ１０４）。尚、ステップＳ１００の処理後の最初の判定時には必ずＮＯと判定される。本処理においてＮＯと判定した場合には、後述するステップＳ１０６の処理を実行する。ステップＳ１０６では最大焦点信号変数Ｆ１を更新する処理と、ベストピントを通過したか否かを判定する処理等が実行される。この処理が終了すると、ステップＳ１１２に移行する。
【００８１】
一方、ステップＳ１０４においてＹＥＳと判定した場合には、次に、フラグＢＰＦｌａｇ＝１か否かを判定する（ステップＳ１０８）。即ち、トラッキングレンズがベストピントの位置を通過した場合には、ステップＳ１０６においてＢＰＦｌａｇが１に設定されるようになっているため、このステップＳ１０８の処理によってトラッキングレンズがベストピントの位置を既に通過しているか否かが判定される。また、このステップＳ１０８の処理においてＹＥＳと判定されるような場合には、最大焦点信号変数Ｆ１の値もベストピントでの値に設定されており、また、ステップＳ１０４の判定で最新の焦点信号の値Ｄｎが最大焦点信号変数Ｆ１に等しいことが確認されているため、現在のトラッキングレンズの位置はベストピントの位置であることが分かる。従って、ステップＳ１０８においてＹＥＳと判定した場合には、ベストピント表示を実行する（ステップＳ１１０）。例えば、図１７や図１８に示したようなベストピント表示マーク６０を画面上に表示させる。
【００８２】
続いて、ＣＰＵ３０は、図９、図１０に示したようなバーグラフの大きさの最大値を１００としてバーグラフの大きさｙを、ｙ＝（最大の大きさ１００）・（Ｄｎ／Ｆ１）とし、その大きさｙでバーグラフを描画（表示の更新）する（ステップＳ１１２）。
【００８３】
次に、ＣＰＵ３０は、上記リセットスイッチ５０のオン操作に起因してリセットする旨の指示が行われたか否かを判定する（ステップＳ１１４）。ＹＥＳと判定した場合にはステップＳ１００に戻り、初期化の処理から再開する。一方、ＮＯと判定した場合にはキーボード等の操作によって処理終了の指示があったか否かを判定し（ステップＳ１１６）、ＮＯと判定した場合には、ステップＳ１０２からの処理を繰り返す。一方、ＹＥＳと判定した場合には、本フローチャートの処理を終了する。
【００８４】
次に、ステップＳ１０６の処理を図２０のフローチャートで説明する。ステップＳ１０４の処理でＮＯと判定した場合、続いて、ＣＰＵ３０は、ステップＳ１０２で取得した焦点信号バッファＤｎの値が最大焦点信号変数Ｆ１よりも大きいか否かを判定する（ステップＳ１２０）。ＹＥＳと判定した場合には最大焦点信号変数Ｆ１を焦点信号バッファＤｎの値に更新する。即ち、Ｆ１＝Ｄｎとする（ステップＳ１２２）。
【００８５】
次に、ＣＰＵ３０は、ステップＳ１０２で取得した位置信号バッファＰＯＳｎの値が位置信号バッファＰＯＳｏより大きいか否かを判定する（ステップＳ１２４）。即ち、トラッキングレンズの移動方向を判定する。ＹＥＳと判定した場合には、フラグＤｒｃＦｌａｇを１に設定し（ステップＳ１２６）、ＮＯと判定した場合にはフラグＤｒｃＦｌａｇを０に設定する（ステップＳ１２８）。続いて、ＣＰＵ３０は、フラグＢＰＦｌａｇを０に設定する（ステップＳ１３０）。尚、ステップＳ１２０でＹＥＳと判定される状況の場合、焦点信号の値は増加する傾向にあり、トラッキングレンズがベストピント（焦点信号のピーク）の位置を通過したと判定できないためＢＰＦｌａｇを０に設定している。また、トラッキングレンズの移動方向を示すフラブＤｒｃＦｌａｇは、ステップＳ１２０での判定がＹＥＳと判定されている際、即ち、焦点信号の値の増加を検出したときのトラッキングレンズの移動方向を記憶しておくためのものである。
【００８６】
ステップＳ１３０の処理の後、ＣＰＵ３０はベストピント表示を解除する（ステップＳ１３２）。例えば、図１７や図１８に示したようなベストピント表示マーク６０を画面上から消す。そして、図１９のステップＳ１１２に移行する。
【００８７】
一方、上記ステップＳ１２０の判定処理においてＮＯと判定した場合、ＣＰＵ３０は、ステップＳ１０２で取得した位置信号バッファＰＯＳｎの値が位置信号バッファＰＯＳｏより大きいか否かを判定する（ステップＳ１３４）。即ち、トラッキングレンズの移動方向を判定する。ＹＥＳと判定した場合には、フラグＴｍｐＤｒｃＦｌａｇを１に設定し（ステップＳ１３６）、ＮＯと判定した場合にはフラグＴｍｐＤｒｃＦｌａｇを０に設定する（ステップＳ１３８）。
【００８８】
続いて、ステップＳ１２６又はステップＳ１２８で設定したフラグＤｒｃＦｌａｇの値とステップＳ１３６又はステップＳ１３８で設定したフラグＴｍｐＤｒｃＦｌａｇの値が等しいか否かを判定する（ステップＳ１４０）。即ち、焦点信号の値が減少する直前において焦点信号の値の増加を検出したときのトラッキングレンズの移動方向と、焦点信号の値の減少を検出したときのトラッキングレンズの移動方向とが一致しているか否かを判定する。ＹＥＳと判定した場合には、トラッキングレンズの同一方向への移動に対して焦点信号の値の増加と減少を検出したことを意味し、トラッキングレンズがベストピントの位置を通過したと判定することができため、フラグＢＰＦｌａｇを１に設定する。一方、ＮＯと判定した場合には、フラグＢＰＦｌａｇを変更しない。そして、ＣＰＵ３０は、ベストピント表示を解除し（ステップＳ１３２）、図１９のステップＳ１１２に移行する。
【００８９】
尚、ベストピント表示機能は、第３の実施の形態に示した焦点情報の表示態様の場合に限らず適用できる。
【００９０】
【発明の効果】
以上説明したように本発明に係る焦点情報表示装置によれば、順次取得した焦点信号の相対的な大きさをグラフ又は数値により把握される大きさで表示画面に表示すると共に、取得した焦点信号の最大値に対応するグラフ又は数値の大きさが事前に決められた大きさとなるように焦点信号の値に対するグラフ又は数値の大きさを変更するようにしたため、撮影している被写体の相違による焦点信号の大きさの相違にかかわらず、適切な大きさのグラフ又は数値で焦点信号の大きさを表示画面に表示することができるようになる。従って、合焦判断及び焦点調整を精度良く且つ容易に行うことができるようになる。また、取得した焦点信号の最大値をリセットできるようにすることで、被写体の条件が変化した場合などでもリセットの指示によって適切な大きさのグラフ又は数値で焦点信号の大きさを表示させることができる。更に、撮影レンズの焦点位置が合焦位置か否かを表示する合焦表示手段を設けることにより合焦判断をより精度良く且つ容易に行うことができるようになる。
【図面の簡単な説明】
【図１】図１は、本発明が適用されるテレビカメラシステムの構成を示したブロック図である。
【図２】図２は、パソコンのモニタに表示される第１の実施の形態における焦点情報の表示態様を示した図である。
【図３】図３は、パソコンのモニタに表示される第１の実施の形態における焦点情報の表示形態を示した図である。
【図４】図４は、パソコンのモニタに表示される第１の実施の形態における焦点情報の表示形態を示した図である。
【図５】図５は、第１の実施の形態においてパソコンのＣＰＵにおける焦点情報の表示処理の手順を示したフローチャートである。
【図６】図６は、パソコンのモニタに表示される第２の実施の形態における焦点情報の表示形態を示した図である。
【図７】図７は、パソコンのモニタに表示される第２の実施の形態における焦点情報の表示形態を示した図である。
【図８】図８は、パソコンのモニタに表示される第２の実施の形態における焦点情報の表示形態を示した図である。
【図９】図９は、パソコンのモニタに表示される第３の実施の形態における焦点情報の表示形態を示した図である。
【図１０】図１０は、パソコンのモニタに表示される第３の実施の形態における焦点情報の表示形態を示した図である。
【図１１】図１１は、第３の実施の形態においてパソコンのＣＰＵでの焦点情報の表示処理の手順を示したフローチャートである。
【図１２】図１２は、図１のテレビカメラシステムにおいて、焦点情報表示に関するリセット機能を設けた場合を示した図である。
【図１３】図１３は、モニタの画面上にリセットスイッチを表示した場合の図である。
【図１４】図１４は、カメラのビューファインダーのフレーム部にリセットスイッチを配置した場合の図である。
【図１５】図１５は、第１の実施の形態においてリセット機能の処理を行えるようしたときのパソコンのＣＰＵでの処理手順を示したフローチャートである。
【図１６】図１６は、第３の実施の形態においてリセット機能の処理を行えるようにしたときのパソコンのＣＰＵでの処理手順を示したフローチャートである。
【図１７】図１７は、パソコンのモニタにベストピント表示マークを表示した場合を示した図である。
【図１８】図１８は、カメラのビューファインダーにベストピント表示マークを表示した場合を示した図である。
【図１９】図１９は、第３の実施の形態においてベストピント表示機能の処理を行えるようにしたときのパソコンのＣＰＵでの処理手順を示したフローチャートである。
【図２０】図２０は、第３の実施の形態においてベストピント表示機能の処理を行えるようにしたときのパソコンのＣＰＵでの処理手順を示したフローチャートである。
【符号の説明】
１０…カメラ、１２…レンズ、１４…パソコン、１６…ＣＣＤ、１８…ハイパスフィルタ、２０…Ａ／Ｄ変換器、２２、２４、３０…ＣＰＵ、３２…メモリ、３４…モニタ、５０…リセットスイッチ、６０…ベストピント表示マーク
【図１】
2004177925.tif 000003
【図２】
2004177925.tif 000004
【図３】
2004177925.tif 000005
【図４】
2004177925.tif 000006
【図５】
2004177925.tif 000007
【図６】
2004177925.tif 000008
【図７】
2004177925.tif 000009
【図８】
2004177925.tif 000010
【図９】
2004177925.tif 000011
【図１０】
2004177925.tif 000012
【図１１】
2004177925.tif 000013
【図１２】
2004177925.tif 000014
【図１３】
2004177925.tif 000015
【図１４】
2004177925.tif 000016
【図１５】
2004177925.tif 000017
【図１６】
2004177925.tif 000018
【図１７】
2004177925.tif 000019
【図１８】
2004177925.tif 000020
【図１９】
2004177925.tif 000021
【図２０】
2004177925.tif 000022